(57)【特許請求の範囲】
【請求項１】
金属製取付板と、
前記金属製取付板の一方の面に重ねられた回路基板と、
開口を有する箱状に形成され、前記回路基板を被うように前記金属製取付板の前記一方の面上に固定された金属製ケースカバーと、
を備え、
前記金属製取付板の周縁における互いに反対の側に、前記金属製取付板の端部が切り欠かれた切欠凹部が少なくとも１つずつ設けられ、
前記金属製ケースカバーの前記開口の縁における互いに反対の側に、ツメ部が少なくとも１つずつ設けられ、
前記切欠凹部に挿入された状態の前記ツメ部の先端が曲げられたことで前記金属製ケースカバーが前記金属製取付板に固定され、
前記切欠凹部の開放側端部には、挿入された前記ツメ部が外側へ抜けることを抑制する引掛凸部が設けられ、
前記切欠凹部の内周は、底辺部と、前記底辺部とつながる一対の側周部と、を含み、
前記引掛凸部は、前記一対の側周部にそれぞれ設けられ、
前記底辺部の中央に出張部が設けられた調光器。
【請求項２】
金属製取付板と、
前記金属製取付板の一方の面に重ねられた回路基板と、
開口を有する箱状に形成され、前記回路基板を被うように前記金属製取付板の前記一方の面上に固定された金属製ケースカバーと、
を備え、
前記金属製取付板の周縁における互いに反対の側に、前記金属製取付板の端部が切り欠かれた切欠凹部が少なくとも１つずつ設けられ、
前記金属製ケースカバーの前記開口の縁における互いに反対の側に、ツメ部が少なくとも１つずつ設けられ、
前記切欠凹部に挿入された状態の前記ツメ部の先端が曲げられたことで前記金属製ケースカバーが前記金属製取付板に固定され、
前記切欠凹部の開放側端部には、挿入された前記ツメ部が外側へ抜けることを抑制する引掛凸部が設けられ、
前記切欠凹部の内周は、底辺部と、前記底辺部とつながる一対の側周部と、を含み、
前記引掛凸部は、前記一対の側周部のうち片方の側周部のみに設けられ、
前記底辺部は、前記片方の側周部とつながる部分を凹まされた段差を備える調光器。
【請求項３】
前記金属製取付板の周縁における互いに反対の側に、複数の前記切欠凹部が並べて設けられた請求項２に記載の調光器。
【請求項４】
並べて設けられた前記複数の前記切欠凹部は、前記引掛凸部を有する部位が互いに反対側である請求項３に記載の調光器。
【請求項５】
前記金属製取付板の平面視において、前記切欠凹部が有する輪郭形状の最小２点間距離は、前記金属製取付板の板厚以上である請求項１〜４のいずれか１項に記載の調光器。
【請求項６】
前記ツメ部の先端は前記切欠凹部の前記底辺部の側へ折り曲げられた請求項１〜５のいずれか１項に記載の調光器。
【請求項７】
金属製取付板と、
前記金属製取付板の一方の面に重ねられた回路基板と、
底板部と前記底板部から折り曲げ形成された複数の板部を含み、開口を有する箱状に形成され、前記回路基板を被うように前記金属製取付板の前記一方の面上に固定された金属製ケースカバーと、
を備え、
前記金属製取付板の周縁における互いに反対の側に、前記金属製取付板の端部が切り欠かれた切欠凹部が少なくとも１つずつ設けられ、
前記金属製ケースカバーの前記開口の縁における互いに反対の側に、ツメ部が少なくとも１つずつ設けられ、
前記切欠凹部に挿入された状態の前記ツメ部の先端が曲げられたことで前記金属製ケースカバーが前記金属製取付板に固定され、
前記金属製取付板の前記一方の面における前記回路基板の隣に、電源スイッチ装置が設けられ、
前記金属製ケースカバーが前記電源スイッチ装置を覆わないように前記回路基板に被さることで、前記複数の板部の一つが前記回路基板と前記電源スイッチ装置とに挟まれた調光器。
【請求項８】
前記ツメ部は、
前記金属製ケースカバーの板厚方向に前記ツメ部を貫通する貫通孔が前記ツメ部の中央に設けられた貫通穴付形状と、
並べて設けられた複数の細ツメ部からなる複数ツメ形状と、
先端と根元との間に前記先端よりも幅の狭い部分を有する狭幅形状と
からなる群から選択した１つの形状を備える請求項１〜７のいずれか１項に記載の調光器。
【請求項９】
取付板と、
前記取付板の一方の面に重ねられた回路基板と、
開口を有する箱状に形成され、前記回路基板を被うように前記取付板の前記一方の面上に固定された金属製ケースカバーと、
を備え、
前記金属製ケースカバーの前記開口の縁における互いに反対の側に、少なくとも１つずつツメ部が設けられ、
前記取付板の周縁における互いに反対の側に、前記ツメ部を受け入れる貫通孔が少なくとも１つずつ設けられ、
前記貫通孔に挿入された状態の前記ツメ部の先端が曲げられたことで前記金属製ケースカバーが前記取付板に固定され、
前記ツメ部は、
前記金属製ケースカバーの板厚方向に前記ツメ部を貫通する貫通孔が前記ツメ部の中央に設けられた貫通穴付形状と、
先端と根元との間に前記先端よりも幅の狭い部分を有する狭幅形状と
からなる群から選択した１つの形状を備える調光器。
【発明の詳細な説明】
【技術分野】
【０００１】
本発明は、調光器、照明システムに関する。
【背景技術】
【０００２】
従来、例えば、特開２０１３−１４５７０４号公報に開示されているように、調光率を操作するための調光器が知られている。
【先行技術文献】
【特許文献】
【０００３】
【特許文献１】特開２０１３−１４５７０４号公報
【発明の概要】
【発明が解決しようとする課題】
【０００４】
コスト抑制等の観点から、部品製造負担、組み立て負担、あるいは配線接続の作業性などに改善が求められている。
【０００５】
本発明は、上述のような課題を解決するためになされたもので、部品製造時における金型側の負担が軽減された調光器を提供することを目的とする。
【０００６】
本発明の他の目的は、組み立て時の作業負担が抑制された調光器を提供することである。
【０００７】
本発明の他の目的は、配線接続の観点から改善が施された調光器を提供することである。
【０００８】
本発明の他の目的は、部品点数の増加を避けつつコントローラと調光器との通信を遮断可能にした照明システムを提供することである。
【課題を解決するための手段】
【０００９】
第１の発明にかかる調光器は、金属製取付板と、前記金属製取付板の一方の面に重ねられた回路基板と、開口を有する箱状に形成され、前記回路基板を被うように前記金属製取付板の前記一方の面上に固定された金属製ケースカバーと、を備え、前記金属製取付板の周縁における互いに反対の側に、前記金属製取付板の端部が切り欠かれた切欠凹部が少なくとも１つずつ設けられ、前記金属製ケースカバーの前記開口の縁における互いに反対の側にツメ部が少なくとも１つずつ設けられ、前記切欠凹部に挿入された状態の前記ツメ部の先端が曲げられたことで前記金属製ケースカバーが前記金属製取付板に固定され、前記切欠凹部の開放側端部には、挿入された前記ツメ部が外側へ抜けることを抑制する引掛凸部が設けられ、前記切欠凹部の内周は、底辺部と、前記底辺部とつながる一対の側周部と、を含み、前記引掛凸部は、前記一対の側周部にそれぞれ設けられ、前記底辺部の中央に出張部が設けられたものである。
【００１０】
第２の発明にかかる調光器は、取付板と、前記取付板の一方の面に重ねられた回路基板と、開口を有する箱状に形成され、前記回路基板を被うように前記取付板の前記一方の面上に固定された金属製ケースカバーと、を備え、前記金属製ケースカバーの前記開口の縁における互いに反対の側に、少なくとも１つずつツメ部が設けられ、前記取付板の周縁における互いに反対の側に、前記ツメ部を受け入れる貫通孔が少なくとも１つずつ設けられ、前記貫通孔に挿入された状態の前記ツメ部の先端が曲げられたことで前記金属製ケースカバーが前記取付板に固定され、前記ツメ部は、前記金属製ケースカバーの板厚方向に前記ツメ部を貫通する貫通孔が前記ツメ部の中央に設けられた貫通穴付形状と、先端と根元との間に前記先端よりも幅の狭い部分を有する狭幅形状とからなる群から選択した１つの形状を備える。
【発明の効果】
【００１５】
第１の発明によれば、ツメ部を受け入れるための凹部を、取付板の端部を切り欠いた切欠凹部としている。板金の打ち抜き加工において、端部を切り欠いて切欠凹部を設けるほうが、端部付近に幅の狭いスリットを空ける加工と比べて、金型側の負担を軽減することができる。
【００１６】
第２の発明によれば、ツメ部における先端と根元の間に、ツメ部を曲げやすくするための脆弱性を持たせることができる。これにより、作業者が手作業によって簡単にツメ部を折り曲げることができ、作業負担を大きく減らすことができる。
【図面の簡単な説明】
【００２１】
【図１】本発明の実施の形態にかかる調光器の外観を示す正面図である。
【図２】本発明の実施の形態にかかる調光器の外観を示す側面図である。
【図３】本発明の実施の形態にかかる調光器の外観を示す側面図である。
【図４】本発明の実施の形態にかかる調光器の外観を示す上面図である。
【図５】本発明の実施の形態にかかる調光器の外観を示す下面図である。
【図６】本発明の実施の形態にかかる調光器を示す一方の面図である。
【図７】本発明の実施の形態にかかる調光器から化粧パネル等を取り外した状態を示す正面図である。
【図８】本発明の実施の形態にかかる調光器から化粧パネル等を取り外した状態を示す上面図である。
【図９】本発明の実施の形態にかかる調光器から化粧パネル等を取り外した状態を示す側面図である。
【図１０】本発明の実施の形態にかかる調光器が備えるケースカバーを示す斜視図である。
【図１１】本発明の実施の形態にかかる調光器が備える取付板の正面図である。
【図１２】本発明の実施の形態にかかる調光器が備える取付板の上面図である。
【図１３】本発明の実施の形態にかかる調光器の分解側面図である。
【図１４】本発明の実施の形態にかかる調光器が備える取付板の切欠凹部を示す拡大図である。
【図１５】本発明の実施の形態にかかる調光器が備える取付板およびケースカバーの取付状態を示す図である。
【図１６】本発明の実施の形態にかかる調光器が備えるケースカバーの変形例を示す図である。
【図１７】本発明の実施の形態にかかる調光器が備えるケースカバーの変形例を示す図である。
【図１８】本発明の実施の形態にかかる調光器が備えるケースカバーの変形例を示す図である。
【図１９】本発明の実施の形態にかかる調光器が備える取付板の変形例にかかる切欠凹部を示す図である。
【図２０】本発明の実施の形態にかかる調光器が備える取付板の変形例にかかる切欠凹部を示す図である。
【図２１】本発明の実施の形態にかかる調光器が備える取付板の変形例にかかる切欠凹部を示す図である。
【図２２】本発明の実施の形態にかかる調光器が備える取付板の変形例にかかる切欠凹部を示す図である。
【図２３】本発明の実施の形態にかかる調光器の内部回路を示すブロック図である。
【図２４】本発明の実施の形態にかかる調光器を用いて構成した照明システムを示す図である。
【図２５】本発明の実施の形態にかかる調光器を用いて構成した他の照明システムを示す図である。
【図２６】本発明の実施の形態にかかる調光器を照明器具に接続する方法を示すブロック図である。
【図２７】本発明の実施の形態にかかる調光器を照明器具に接続する他の方法を示すブロック図である。
【図２８】本発明の実施の形態にかかる調光器の配線形状を示す図である。
【図２９】本発明の実施の形態にかかる調光器を照明器具に接続する他の方法を示すブロック図である。
【図３０】本発明の実施の形態にかかる調光器が備える調光特性の一つである調光カーブを示す図である。
【図３１】本発明の実施の形態にかかる調光器の変形例の外観を示す正面図である。
【発明を実施するための形態】
【００２２】
図１は、本発明の実施の形態にかかる調光器１０の外観を示す正面図である。図２および図３は、調光器１０の外観を示す側面図である。図４は、調光器１０の外観を示す上面図であり、図５は、調光器１０の外観を示す下面図である。
【００２３】
図１に示すように、調光器１０は、ユーザが調光率指定操作を受け付けるロータリーノブ１３と、ユーザの点灯消灯操作を受け付ける電源スイッチ装置３２のスイッチ操作部３２ｓと、ロータリーノブ１３およびスイッチ操作部３２ｓが設けられた操作プレート１２と、操作プレート１２の周囲を囲うことで調光器１０の外周を構成する化粧パネル１１と、を備えている。化粧パネル１１、操作プレート１２、およびロータリーノブ１３は、樹脂性、具体的にはＡＢＳ樹脂製であってもよい。
【００２４】
図６は、本発明の実施の形態にかかる調光器１０を示す裏面図である。図６に示すように、調光器１０は、取付板１００と、取付板１００の裏面に固定された電源スイッチ装置３２と、取付板１００の裏面において電源スイッチ装置３２の隣に固定された電源端子台３０と、本体裏ケースとしてのケースカバー２０と、ケースカバー２０に設けた開口から露出する信号線端子台４０と、アース線を接続して接地端子として機能する接地ネジ４２と、取付板１００の裏面に重なることで取付板１００の表面（図示せず）の側に設けられた図１の化粧パネル１１と取付板１００とを互いに固定するプレート枠１１ａ、１１ｂと、を備えている。
【００２５】
図６には、積層回路基板５０が破線で概略的に示されている。積層回路基板５０は、取付板１００の裏面に重ねられており、例えばネジ止めなどにより固定されている。ケースカバー２０は、積層回路基板５０を被うように取付板１００の裏面上に固定されている。積層回路基板５０は、電源配線５１ａ、５１ｂを介して電源端子台３０と接続されている。
【００２６】
電源スイッチ装置３２は、調光器１０の表側に露出してユーザのスイッチ操作を受け付けるスイッチ操作部３２ｓと、第１接続端子３２ａ１、３２ａ２と、スイッチ操作部３２ｓの操作で開閉され、一端が第１接続端子３２ａ１、３２ａ２と接続したスイッチ部ＳＷと、スイッチ部ＳＷの他端と接続することでスイッチ部ＳＷを介して第１接続端子３２ａ１、３２ａ２と接続した第２接続端子３２ｂ１、３２ｂ２と、を備えており、これらが樹脂ケース内に収められたものである。スイッチ操作部３２ｓの操作によってスイッチ部ＳＷの開閉が切り替わり、第１接続端子３２ａ１、３２ａ２と第２接続端子３２ｂ１、３２ｂ２との間の電気的接続状態を導通状態と遮断状態とで切り替えることができる。スイッチ部ＳＷには、３路スイッチ、または片切りスイッチを用いることができる。
【００２７】
信号線端子台４０は、調光信号を出力する端子台である。信号線端子台４０は、図２５および図２９で後述するように、照明器具７２または照明コントローラ７６と調光信号線４１を介して接続される。
【００２８】
プレート枠１１ａ、１１ｂと化粧パネル１１とによって取付板１００の上端部および下端部とが挟み込まれている。プレート枠１１ａ、１１ｂは、一例として低発泡スチロール製としてもよい。
【００２９】
電源スイッチ装置３２および電源端子台３０は、ケースカバー２０の外側に露出している。電源スイッチ装置３２および電源端子台３０は、一例として速結端子台とする。口出し線方式ではなく速結端子方式を用いることで、利便性の向上が図られている。取付板１００の裏面における積層回路基板５０の隣に、電源スイッチ装置３２および速結型の電源端子台３０が設けられている。ケースカバー２０は、電源スイッチ装置３２および電源端子台３０を覆わずに、積層回路基板５０および信号線端子台４０を覆っている。
【００３０】
図７は、本発明の実施の形態にかかる調光器１０から化粧パネル等を取り外した状態を示す正面図である。具体的には、化粧パネル１１などの調光器１０正面側の構造を取り外すとともに、電源スイッチ装置３２および電源端子台３０なども取り外されている。
【００３１】
取付板１００は、複数の開口１０２、１０４、１０６を備えている。これらの複数の開口１０２〜１０６は、具体的には、調光ボリューム用開口１０２と、切替スイッチ用開口１０４と、電源スイッチ用開口１０６とを含んでいる。調光ボリューム用開口１０２は、調光ボリューム操作手段としてのボリューム操作軸５２を取付板１００の表面側へ露出させる。電源スイッチ用開口１０６は、電源スイッチ装置３２のスイッチ操作部３２ｓを取付板１００の表面側へ露出させる。切替スイッチ用開口１０４は、調光仕様切替スイッチ５４を取付板１００の表面側へ露出させる。
【００３２】
ボリューム操作軸５２は、積層回路基板５０に接続されている。積層回路基板５０は、調光ボリューム用開口１０２からボリューム操作軸５２が露出するように取付板１００の裏面における予め定められた位置に固定される。なお、調光器１０はロータリーノブ１３で調光ボリュームを操作する方式なので、調光ボリューム操作手段は回転型のボリューム操作軸５２としている。しかし変形例として調光器１０が他の方式を用いる場合、例えばスライド式などの方式で調光ボリュームを操作するものである場合にはボリューム操作軸５２の代わりにスライド式操作軸が用いられてもよい。
【００３３】
図８は、本発明の実施の形態にかかる調光器１０から化粧パネル等を取り外した状態を示す上面図であり、図９はその側面図である。ケースカバー２０は、底板部２４と、底板部２４の上下左右各辺に設けられた上板部２１、下板部２５、側板部２２、２３を備えている。ケースカバー２０は、全体として矩形の箱型形状を有している。ケースカバー２０は、底板部２４と逆側の端が開口しており、後述する図１０に示すケース開口２０ａを備えている。
【００３４】
ケースカバー２０の側板部２２、２３に設けられたツメ部２００が取付板１００の切欠凹部１２０に挿入された状態で、ツメ部２００の先端が切欠凹部１２０の内側へ折り曲げられることで、ケースカバー２０と取付板１００とが一体化されている。なお、ツメ部２００の中央には、折り曲げやすさを付与するために、側板部２２、２３の厚さ方向に貫通する貫通孔２０２が設けられている。
【００３５】
図１０は、本発明の実施の形態にかかる調光器１０が備えるケースカバー２０を示す斜視図である。上板部２１、下板部２５、および側板部２２、２３それぞれの端面によって、ケースカバー２０のケース開口２０ａの縁が構成されている。ケースカバー２０のケース開口２０ａの縁における互いに反対の側に、ツメ部２００が２つずつ並べて設けられている。上板部２１、下板部２５、側板部２２、２３は、それぞれ、底板部２４の縁から折り曲げ加工されている。上板部２１、下板部２５、側板部２２、２３は底板部２４を介して連結しているものの、上板部２１、下板部２５、側板部２２、２３同士は互いに分離されており、例えばケースカバー２０の外側へ開くように上板部２１に力を加えると、上板部２１の端が撓んで側板部２２、２３から離間するようになっている。ケースカバー２０を取付板１００に固定したときには、上板部２１、下板部２５、側板部２２、２３が取付板１００に固定され、上板部２１、下板部２５、側板部２２、２３がケースカバー２０の外側に広がったりケースカバー２０の内側に入り込んだりする心配はない。
【００３６】
図１０に示すように、ケースカバー２０の上板部２１には、上板突起２１ａが設けられている。取付板１００には上板部２１固定用の固定孔１１３（図７参照）が設けられている。ケースカバー２０の上板突起２１ａが、この固定孔１１３に収まる。ケースカバー２０の下板部２５には、下板突起２２ａが設けられている。取付板１００の電源スイッチ用開口１０６には、調光ボリューム用開口１０２の側に凹む切欠部１１２が設けられている。ケースカバー２０の下板突起２２ａが、切欠部１１２に収まる。下板部２５は、積層回路基板５０と電源スイッチ装置３２との間に挟まれる。下板部２５が開かないように電源スイッチ装置３２で抑えることができる。
【００３７】
ケースカバー２０は、金属板からなり、板金加工により形成される。具体的には、ケースカバー２０は、例えば板厚ｔ＝０．５ｍｍの冷間圧延鋼板（ＳＰＣＣ）を折り曲げて形成することができる。
【００３８】
図１１は、本発明の実施の形態にかかる調光器１０が備える取付板１００の正面図である。図１２は、調光器１０が備える取付板１００の上面図である。取付板１００は、金属板からなり、板金を予め定めた形状に打ち抜いたものである。具体的には、取付板１００は、例えば板厚ｔ＝１．６ｍｍの冷間圧延鋼板（ＳＰＣＣ）を切断したものであってもよく、金型による打ち抜き加工で形成することができる。実施の形態では、取付板１００の外形を打ち抜くための金型設計上の負担を減らすように、切欠凹部１２０に改善が施されている。
【００３９】
取付板１００の周縁における互いに反対の側に、取付板１００の端部が切り欠かれた切欠凹部１２０が２つずつ設けられている。切欠凹部１２０に挿入された状態のツメ部２００の先端が曲げられたことで、ケースカバー２０が取付板１００に固定される。
【００４０】
ケースカバー２０は、積層回路基板５０を保護する程度の剛性を有しつつも、ツメ部２００を手作業で折り曲げられるようになるべく薄いほうが好ましい。その一方で、取付板１００は、ケースカバー２０のツメ部２００を折り曲げる際に過度に撓まないようなある程度の剛性を必要とするので、薄すぎることは好ましくない。従って、ケースカバー２０の板厚を取付板１００の板厚よりも小さくすることが好ましい。
【００４１】
実施の形態ではケースカバー２０および取付板１００の両方が金属製であることから、樹脂材料のケースと比べて、耐熱性および耐火性の観点から優れた性能を得ることができる。また、耐候性、および長期的信頼性などの点でも優位性がある。
【００４２】
図１３は、本発明の実施の形態にかかる調光器１０の分解側面図である。調光器１０の構成部品の一部としての、ロータリーノブ１３と、化粧パネル１１と、操作プレート１２と、電源スイッチ装置３２と、電源端子台３０と、ケースカバー２０とが互いに分解された状態が図示されている。
【００４３】
図１３を用いて、積層回路基板５０の構造を説明する。積層回路基板５０は、取付板１００の裏面に重ねられた積層型の回路基板である。積層回路基板５０は、制御回路基板５０ａ、電源回路基板５０ｂ、およびスペーサ５０ｃを備えている。積層回路基板５０は、制御回路基板５０ａと電源回路基板５０ｂとをスペーサ５０ｃを介して互いに離間させて重ねたものである。電源回路基板５０ｂは、交流電圧を直流電圧に変換する電源回路６７（図２３参照）を構成する電気部品が表面実装されたものである。制御回路基板５０ａは、電源回路６７から電源を受けて作動する調光制御集積回路を構成するマイコン６０（図２３参照）などの電気部品が表面実装されたものである。スペーサ５０ｃは、電源回路基板５０ｂと制御回路基板５０ａとを互いに離間しつつ重ねて固定する。ケースカバー２０は、ケース開口２０ａ側から積層回路基板５０の上にかぶせられる。
【００４４】
電源回路基板５０ｂおよび制御回路基板５０ａは、スペーサ５０ｃを介して間隔を置きつつ２段に積み重ねられている。取付板１００の裏面に、制御回路基板５０ａおよび電源回路基板５０ｂがこの順番で積み上げられている。電源回路基板５０ｂとケースカバー２０の間には絶縁シート（図示せず）が挟み込まれており、ケースカバー２０の内表面と電源回路基板５０ｂとの間の電気絶縁が確保されている。
【００４５】
電源回路基板５０ｂには、図２３で後述する電源回路６７が設けられている。電源回路６７は、電源端子台３０を介して取得した交流電源からの例えばＡＣ１００Ｖなどの交流電圧を、一例として直流１２Ｖに変換する。電源回路６７は、一例として、フライバックコンバータ回路などのスイッチング電源回路を用いてもよい。フライバックコンバータ回路は、具体的には、交流電源と接続する入力フィルタ、入力フィルタ後段に設けられた整流回路、整流回路の後段に設けられた入力コンデンサ、入力コンデンサの後段に設けられたフライバックトランス、ＭＯＳＦＥＴ等のスイッチング素子を含みフライバックトランスの一次巻線に流れる電流を制御するスイッチングＩＣ、フライバックトランスの２次巻線にアノードが接続するダイオード、ダイオードのカソードに一端が接続し他端がグランド電極に接続されるコンデンサ、ダイオードのカソードとコンデンサとの接続点の電圧をスイッチングＩＣにフィードバックするフォトカプラ、などを含む。電源回路６７に、フライバックコンバータ回路以外のスイッチングコンバータ回路が用いられてもよい。いずれの場合にも、電源基板には、電源回路６７を構成するための電子部品が実装されている。
【００４６】
制御回路基板５０ａには、図２３で後述するように、電源回路６７以外の各種の回路、具体的には調光制御に必要な、マイコン６０、ＰＷＭ増幅回路６１、短絡検出回路６２、ＬＥＤ表示回路６３、および調光ボリューム部６４を含む各種の制御回路が設けられる。
【００４７】
電源端子台３０は、取付板１００の裏面における積層回路基板５０の隣に設けられ、電源回路６７に接続されている。取付板１００、積層回路基板５０、電源端子台３０、電源スイッチ装置３２、および信号線端子台４０（図６参照）が一体化されることで組立体Ａｓｙが構成されている。なお、積層回路基板５０と取付板１００との間で電気絶縁性が確保されており、そのための構造としては例えば図示しない絶縁シートなどの絶縁部材が挟まれていても良い。もし取付板１００が合成樹脂などの絶縁材料であれば積層回路基板５０が取付板１００の裏面に直接に固定されていてもよい。
【００４８】
ケースカバー２０で覆われるべき積層回路基板５０が予め取付板１００に集約されたので、組立作業者はケースカバー２０の取り付けを簡単に行うことができる。従って、組み立て性を飛躍的に向上させることができる。
【００４９】
実施の形態では、好ましい形態として、調光器１０を構成する全ての電気部品が取付板１００に集約された組立体Ａｓｙが提供されている。このような好ましい形態を採用することで、調光器１０を構成する全ての電気部品（具体的には、積層回路基板５０、信号線端子台４０、電源スイッチ装置３２、および電源端子台３０など）が予め取付板１００に集約されたので、ケースカバー２０側には電気部品と接続したケーブルなどが付随することがない。従って、ケースカバー２０を手にとった組立作業者は、取付板１００に対して自由な距離、相対位置、および角度からケースカバー２０の取り付けを行うことができる。従って、組み立て性を飛躍的に向上させることができる。
【００５０】
図１４は、本発明の実施の形態にかかる調光器１０が備える取付板１００の切欠凹部１２０を示す拡大図である。切欠凹部１２０の開放側端部には、挿入されたツメ部２００が外側へ抜けることを抑制する引掛凸部１２２ａが設けられている。切欠凹部１２０の内周は、底辺部１２１と、底辺部１２１とつながる一対の側周部１２２と、を含んでいる。引掛凸部１２２ａは、一対の側周部１２２にそれぞれ設けられた突起である。底辺部１２１の中央に出張部１２１ｂが設けられている。取付板１００の周縁における互いに反対の側に、複数の切欠凹部１２０が並べて設けられている。
【００５１】
ツメ部２００を受け入れるための凹部を、取付板１００の端部を切り欠いた切欠凹部１２０としている。板金の打ち抜き加工において、端部を切り欠いて切欠凹部１２０を設けるほうが、端部付近に幅の狭いスリットを空ける加工と比べて、打ち抜き形状の寸法制約が緩和される。このため、金型側の負担を軽減することができる。また、ケースカバー２０を取付板１００に固定するためにネジ等の固定部材を必要としないので、部品点数の削減および作業負担の削減が達成されている。
【００５２】
取付板１００の端面から切欠凹部１２０の底辺部１２１までの最大距離を、ベース深さ寸法Ｄ０とする。引掛凸部１２２ａの太さを寸法Ｔ１とする。切欠凹部１２０の底面に設けられた段差１２１ａから引掛凸部１２２ａまでの最短距離を深さ寸法Ｄ１とする。この深さ寸法Ｄ１はつまり段差１２１ａの凹みの程度を示す寸法である。
【００５３】
出張部１２１ｂにおける切欠凹部１２０の開放側の端面と平行な仮想直線と、引掛凸部１２２ａにおける底辺部１２１の段差１２１ａと向かいあう端面と平行な仮想直線との距離を、ギャップ寸法ＧＰとする。ギャップ寸法ＧＰは、引掛凸部１２２ａと出張部１２１ｂとで挟み込む板の最大厚さを決める寸法である、ギャップ寸法ＧＰは、ツメ部２００の厚さ、つまりケースカバー２０を構成する板金の板厚以下の寸法に設計される。
【００５４】
図１４に示すように、第１幅寸法Ｗ１は、引掛凸部１２２ａの先端から対向する引掛凸部１２２ａの先端までの最短距離である。なお後述する図２１および図２２のように対向する側周部１２２が引掛凸部１２２ａを有さない場合には、第１幅寸法Ｗ１は、一方の側周部１２２が有する引掛凸部１２２ａの先端から、対向する側周部１２２までの最短距離である。対向する側周部１２２の間の最短距離、つまり切欠凸部の内周における最大幅を、ベース幅寸法Ｗ０とする。ベース幅寸法Ｗ０はツメ部２００の幅以上の大きさに設計され、第１幅寸法１Ｗ１はツメ部２００の幅よりも小さく設計される。
【００５５】
取付板１００の平面視において、互いに向かい合う出張部１２１ｂの角と引掛凸部１２２ａの角とを結ぶ最小２点間距離を、最短距離Ｄ３とする。最短距離Ｄ３は、切欠凹部１２０が有する輪郭形状の最小２点間距離である。この最短距離Ｄ３は、取付板１００の板厚以上の大きさに設計されており、さらに取付板１００の板厚に公差分を加えた大きさ以上とされることが好ましい。例えば板厚ｔ＝１．６ｍｍの板金において、公差がプラスマイナス０．２ｍｍである場合、１．８ｍｍ以上、好ましくは２．０ｍｍ以上に最短距離Ｄ３を確保することが好ましい。最短距離Ｄ３は、寸法Ｗ１、Ｗ０、Ｄ０、およびＤ１のいずれよりも小さく設計される。最小２点間距離を取付板１００の板厚以上に確保することにより、切欠凹部１２０の金型側の負担を減らすことができる。
【００５６】
図１５は、本発明の実施の形態にかかる調光器１０が備える取付板１００およびケースカバー２０の取付状態を示す図である。破線で示すツメ部２００ａは折り曲げ前の状態である。切欠凹部１２０に挿入された状態のツメ部２００の先端が曲げられたことで、ケースカバー２０が取付板１００に固定される様子が図示されている。カバーの板厚方向にツメ部２００を貫通する貫通孔２０２がツメ部２００の中央に設けられている。このような貫通穴付形状を有しているので、曲げやすくするための脆弱性をツメ部２００に持たせることができる。
【００５７】
図１６は、本発明の実施の形態にかかる調光器１０が備えるケースカバー２０の変形例を示す図である。この変形例に示すように、並べて設けられた複数の細ツメ部２１１からなる複数ツメ形状を有するツメ部２１０を用いてもよい。言い換えると、ツメ部２１０の中央に切り込みが設けられることで、複数の細ツメ部２１１に分離されていてもよい。
【００５８】
図１７は、本発明の実施の形態にかかる調光器１０が備えるケースカバー２０の変形例を示す図である。この変形例に示すように、根元２２２よりも先端２２１の幅が小さい先細形状を有するツメ部２２０を用いてもよい。ツメ部２２０は、根元から先端にかけて階段状に幅が狭まるようにしてもよく、少なくとも２段階に狭まるようになっていてもよい。なお、図示しないが、先細形状のバリエーションとして、先端に向かって連続的に幅が小さくなるつまりテーパ状のツメ部を設けても良い。テーパ状のツメ部は、平面視で台形状の輪郭を有する。また、図示しないが、先細形状のバリエーションとして、平面視における先端形状を半円形状とすることで、先端に向けて徐々に幅を減少させるようになっていてもよい。
【００５９】
図１８は、本発明の実施の形態にかかる調光器１０が備えるケースカバー２０の変形例を示す図である。変形例にかかるツメ部２３０は、先端２３１と根元２３３との間に先端よりも幅の狭い狭幅部２３２を有する狭幅形状を有してもよい。ツメ部２３０の根元２３３の幅は、狭幅部２３２よりも大きくともよい。
【００６０】
上述したツメ部２００〜２３０によれば、ツメ部２００〜２３０における先端と根元の間に、ツメ部２００〜２３０を曲げやすくするための脆弱性を持たせることができる。これにより、作業者が手作業によって簡単にツメ部２００〜２３０を折り曲げることができ、作業負担を大きく減らすことができる。
【００６１】
図１９は、本発明の実施の形態にかかる調光器１０が備える取付板１００の変形例にかかる切欠凹部１３０を示す図である。この変形例にかかる切欠凹部１３０は、引掛凸部１２２ａおよび出張部１２１ｂを備えておらず、側周部１２２および底辺部１２１の両方が平らである。
【００６２】
図２０は、本発明の実施の形態にかかる調光器１０が備える取付板１００の変形例にかかる切欠凹部１４０を示す図である。この変形例にかかる切欠凹部１４０は、引掛凸部１２２ａは備えているものの、出張部１２１ｂを備えておらず底辺部１２１が平らである。
【００６３】
図２１は、本発明の実施の形態にかかる調光器１０が備える取付板１００の変形例にかかる切欠凹部１５０ａ、１５０ｂを示す図である。取付板１００の周縁における互いに反対の側に、複数の切欠凹部１５０ａ、１５０ｂが並べて設けられている。この変形例にかかる切欠凹部１５０ａ、１５０ｂは、一対の側周部１２２の片方の側周部１２２にのみ引掛凸部１２２ａが設けられている。並べて設けられた複数の切欠凹部１５０ａ、１５０ｂは、引掛凸部１２２ａを有する部位が互いに反対側である。切欠凹部１５０ａ、１５０ｂそれぞれの底辺部１２１は、引掛凸部１２２ａを設けた側の片方の側周部１２２とつながる部分を更に凹まされた段差１２１ａを備える。切欠凹部１５０ａ、１５０ｂそれぞれの底辺部１２１の中央に、出張部１２１ｂが設けられている。
【００６４】
図２２は、本発明の実施の形態にかかる調光器１０が備える取付板１００の変形例にかかる切欠凹部１６０ａ、１６０ｂを示す図である。この変形例にかかる切欠凹部１６０ａ、１６０ｂは、一対の側周部１２２の片方の側周部１２２にのみ引掛凸部１２２ａが設けられている。切欠凹部１６０ａ、１６０ｂそれぞれの底辺部１２１は、引掛凸部１２２ａを設けた側の片方の側周部１２２とつながる部分を更に凹まされた段差１２１ａを備える。ただし、切欠凹部１６０ａ、１６０ｂでは、出張部１２１ｂが、底辺部１２１の中央ではなく、底辺部１２１の端に寄せて設けられている。従って、切欠凹部１６０ａ、１６０ｂそれぞれには、段差１２１ａが１つだけ設けられている。図２２の切欠凹部１６０ａ、１６０ｂも、図２１の切欠凹部１６０ａ、１６０ｂと同様に、取付板１００の周縁における互いに反対の側に複数の切欠凹部１６０ａ、１６０ｂが並べて設けられており、かつ並べて設けられた複数の切欠凹部１６０ａ、１６０ｂにおいて引掛凸部１２２ａを有する部位が互いに反対側である。
【００６５】
図２１および図２２では、切欠凹部１５０ａ、１５０ｂ、１６０ａ、１６０ｂは、引掛凸部１２２ａを有する部位が互いに反対側である。より詳細には、切欠凹部１５０ａ、１５０ｂおよび切欠凹部１６０ａ、１６０ｂが、それぞれ、図面の上下対称の形状とされている。しかしながら、変形例として、切欠凹部１５０ａが２つ並んでいてもよく、切欠凹部１６０ａが２つ並んでいてもよい。あるいは、切欠凹部１５０ｂが２つ並んでいてもよく、切欠凹部１６０ｂが２つ並んでいてもよい。また、切欠凹部１５０ａと切欠凹部１５０ｂの上下位置を反対にしてもよく、切欠凹部１６０ａと切欠凹部１６０ｂの上下位置を反対にしてもよい。
【００６６】
ツメ部２００〜２３０の先端は、上記列挙した切欠凹部１２０〜１６０ｂの内側、つまり切欠凹部１２０〜１６０ｂの底辺部１２１の側へ折り曲げられることが好ましい。つまり、ツメ部２００〜２３０の先端は、出張部１２１ｂを有する切欠凹部１２０、１５０ａ〜１６０ｂの場合には出張部１２１ｂを支点とし、出張部１２１ｂが無い切欠凹部１３０、１４０の場合には平らな底辺部１２１を支点とすることで、切欠凹部１２０〜１６０ｂの底辺部１２１の側へ折り曲げられることが好ましい。変形例として、引掛凸部１２２ａを支点として切欠凹部１２０〜１６０ｂの外側へと折り曲げてもよいが、この場合には引掛凸部１２２ａがある程度太く設計されることが好ましい。その理由は、切欠凹部１２０〜１６０ｂの外側へとツメ部２００〜２３０を折り曲げる際に、引掛凸部１２２ａが外側に開くような塑性変形を引き起こすおそれを抑制するためである。
【００６７】
図２３は、本発明の実施の形態にかかる調光器１０の内部回路を示すブロック図である。図２３に示すように、調光器１０が備える積層回路基板５０は、マイコン６０と、電源回路６７と、ＰＷＭ増幅回路６１と、短絡検出回路６２と、ＬＥＤ表示回路６３と、調光ボリューム部６４と、を備えている。
【００６８】
マイコン６０は、演算処理を行う演算ユニット（ＣＰＵ）と、フラッシュメモリ（ＲＯＭ）と、ＲＡＭと、Ｉ／Ｏポートと、汎用タイマと、アナルグディジタル変換回路つまりＡＤコンバータ（ＡＤＣ）を備える。仕様の一例としては、内部フラッシュＲＯＭを最大４ＫＢ、内部ＲＡＭ最大５１２ＫＢとしてもよい。
【００６９】
電源回路６７は、前述したようにフライバックコンバータ回路などのスイッチング電源回路である。電源回路６７は、過電流保護回路を備えることが好ましく、ＥＭＣ、ＥＭＩ対策が施されている。
【００７０】
ＰＷＭ増幅回路６１は、トランジスタ増幅回路で構成され、マイコン６０より生成されたＰＷＭ信号の増幅を行う。
【００７１】
短絡検出回路６２は、調光信号出力の短絡状態を検出する回路である。過電流が検出されたときに、短絡検出回路６２がマイコン６０に短絡信号を入力することによりマイコン６０のＰＭＷ信号出力を停止させることで、ＰＷＭ増幅回路６１の保護が行われる。短絡信号はマイコン６０の割込みポートに入力される。マイコン６０は、割込み処理によって出力短絡が検知された場合には、直ちにＰＷＭ信号を停止状態に保持、具体的にはローに保持する。短絡信号が入力されると、マイコン６０は、ソフトウェア制御にてＰＷＭ信号出力を予め定めた停止期間だけ直ちに停止する。具体的には、停止期間は、例えば１秒程度である。マイコン６０は、その停止期間の経過後に、再度ＰＷＭ信号を出力するとともに、短絡信号の検出処理を行う。出力短絡状態が解除されたか否かの判定は、例えば３秒などの予め定めた判定期間以上連続して出力短絡状態が検出されなくなったときに出力短絡解除と判定するものであっても良い。
【００７２】
ＬＥＤ表示回路６３は、点灯中、または出力短絡の表示を行うための回路であり、一例としては、赤色ＬＥＤなどの発光素子を用いた「報知用発光部」を備える。点灯、消灯、および出力短絡それぞれに対応させて、報知用発光部を異なる状態に制御すればよい。例えば、照明器具７２の点灯／消灯表示を行うときには、点灯中に報知用発光部を点灯させて、消灯中には報知用発光部を消灯させてもよい。また、出力短絡表示を行うときには、報知用発光部を点滅させてもよい。短絡表示は、短絡検出回路６２側に置いて短絡解除が検知されるまでは点滅を継続する。
【００７３】
調光仕様切替スイッチ５４は、マイコン６０と接続し、マイコン６０に対して現在のスイッチ操作状態を示す信号を入力する。実施の形態では、調光仕様切替スイッチ５４の一例として、１０ポジションのロータリースイッチを使用している。調光仕様切替スイッチ５４の設定値に基づいて、調光特性が変更される。調光ボリューム部６４の最小値が下限値となる様に補正が施される。
【００７４】
調光ボリューム部６４は、ボリューム操作軸５２の回転角に従って抵抗値が可変とされる可変抵抗を含んでいる。この可変抵抗を使用して調光操作を電気信号に変換する。可変抵抗は一例としてＢ特性のものを用いてもよい。
【００７５】
調光器１０の制御内容について説明する。調光ボリューム部６４を最小ボリュームから最大ボリュームまで操作すると、現時点の指定調光仕様における上限調光率１００％から下限調光率値まで調光率が変化するようにＰＷＭ信号のオンデューティが調節される。指定調光率範囲は、調光仕様切替スイッチ５４のポジションによって切り替えられる。調光下限値については、後述する「表１」に定義されたテーブルからわかるように、いくつかのバリエーションがある。調光率の設定について更に説明する。ＰＷＭ出力値の範囲は、調光仕様切替スイッチ５４で指定された調光仕様と、調光ボリューム部６４入力信号がＡ／Ｄ変換されたディジタル値と、の間の関係によって決定される。例えば下限調光率が５％である場合、ＰＷＭ信号のオンデューティが５％〜９０．５％とされ、照明器具７２の光出力が１００％〜５％とされ、この範囲内で調光制御が行われる。調光ボリューム部６４の入力電圧は、ＡＤコンバータ（ＡＤＣ）によってディジタル値に変換される。調光仕様切替スイッチ５４とＡＤコンバータからのディジタル値とに基づいて、調光率が算出される。算出された調光率に応じたオンデューティが演算される。
【００７６】
なお、変形例として、電源スイッチ装置３２のオン直後は下限調光率値のＰＷＭ信号を出力し、その後、予め決められたフェード時間で調光ボリューム部６４の設定調光率まで調光率を増加させるようにしてもよい。
【００７７】
図２４は、本発明の実施の形態にかかる調光器１０を用いて構成した照明システム７０を示す図である。調光器１０を単独使用する場合の機器構成を示す。照明システム７０は、複数の照明器具７２と、調光器１０と、を備える。調光器１０は、調光信号線４１を介して、照明器具７２それぞれに調光信号を供給する。
【００７８】
図２５は、本発明の実施の形態にかかる調光器１０を用いて構成した他の照明システム７１を示す図である。調光器１０を他設備（具体的には照明コントローラ７６）と連動させて接続する場合の機器構成を示す。照明システム７１は、複数の照明器具７２と、調光器１０と、照明コントローラ７６とを備える。照明器具７２はそれぞれ点灯装置７３を備えている。点灯装置７３は、電源線３３を介して調光器１０に接続されている。照明コントローラ７６は、制御信号線７４を介して、照明器具７２それぞれに調光信号などの照明制御信号を供給する。
【００７９】
図２６は、本発明の実施の形態にかかる調光器１０を照明器具７２に接続する方法を示すブロック図である。図２６は、図２４に示す照明システム７０を構築するときの接続方法の一例である。電源スイッチ装置３２のスイッチ部ＳＷには、片切り３路スイッチＳＷ１を用いている。積層回路基板５０は、取付板１００の裏面に設けられている。電源端子台３０は、取付板１００の裏面における積層回路基板５０の隣に設けられている。電源スイッチ装置３２は、取付板１００の裏面における積層回路基板５０の隣に電源端子台３０と並べて設けられている。
【００８０】
電源スイッチ装置３２は、電源端子台３０の側に設けられた第１接続端子３２ａ１、３２ａ２と、第１接続端子３２ａ１、３２ａ２と接続したスイッチ部ＳＷと、スイッチ部ＳＷを介して第１接続端子３２ａ１、３２ａ２と接続される第２接続端子３２ｂ１、３２ｂ２と、を備えている。電源端子台３０、第１接続端子３２ａ１、３２ａ２、スイッチ部ＳＷ、および第２接続端子３２ｂ１、３２ｂ２が、この順で、積層回路基板５０の縁に沿って一列に並べられている。電源端子台３０と第１接続端子３２ａ１、３２ａ２とを接続する配線ケーブル３４が更に設けられている。図２６に示すように、調光器１０においては、スイッチ部ＳＷを挟んで第１接続端子３２ａ１、３２ａ２が電源端子台３０に近接するとともに、第２接続端子３２ｂ１、３２ｂ２が電源端子台３０から遠ざけられている。これにより、配線ケーブル３４を介した電源端子台３０と電源スイッチ装置３２との接続が正確に行われやすくなっているという利点がある。すなわち、第１接続端子３２ａ１、３２ａ２と第２接続端子３２ｂ１、３２ｂ２の両方を電源端子台３０に接続してしまうという誤配線を抑制することができる。
【００８１】
詳細な構造を説明すると、電源端子台３０は、一対の第１電源端子３０ａ１、３０ａ２および一対の第２電源端子３０ｂ１、３０ｂ２を備えている。電源端子台３０の内部において、第１電源端子３０ａ１、３０ａ２のうちの「第１極端子３０ａ１」と第２電源端子３０ｂ１、３０ｂ２のうちの「第１極端子３０ｂ１」とが接続されている。電源端子台３０の内部において、第１電源端子３０ａ１、３０ａ２のうちの「第２極端子３０ａ２」と第２電源端子３０ｂ１、３０ｂ２のうちの「第２極端子３０ｂ２」とが接続されている。電源端子台３０における電源スイッチ装置３２の第１接続端子３２ａ１、３２ａ２と隣り合う側、つまり電源端子台３０における図２６の紙面右側寄りには、第１電源端子３０ａ１、３０ａ２の第１極端子３０ａ１と第２電源端子３０ｂ１、３０ｂ２の第１極端子３０ｂ１とが並べて設けられている。電源端子台３０における電源スイッチ装置３２の第１接続端子３２ａ１、３２ａ２とは反対の側、つまり電源端子台３０における図２６の紙面左側寄りには、第１電源端子３０ａ１、３０ａ２の第２極端子３０ａ２と第２電源端子３０ｂ１、３０ｂ２の第２極端子３０ｂ２とが並べて設けられている。
【００８２】
スイッチ部ＳＷの開により第１接続端子３２ａ１が第２接続端子３２ｂ１から遮断される。第１接続端子３２ａ１、３２ａ２のうち、電源スイッチ装置３２における積層回路基板５０と隣り合う側に、第１接続端子３２ａ１が設けられており、電源スイッチ装置３２における積層回路基板５０とは反対の側に、第１接続端子３２ａ２が設けられている。
【００８３】
調光器１０は、電源端子台３０と電源スイッチ装置３２とを接続させる配線ケーブル３４を備えている。配線ケーブル３４は、第１電源端子３０ａ１、３０ａ２の第１極端子３０ａ１と、電源スイッチ装置３２の第１接続端子３２ａ１とを繋いでいる。なお、図２６の配線方式では、電源スイッチ装置３２の第１接続端子３２ａ２および第２接続端子３２ｂ２は使用されていない。
【００８４】
交流電源７８は、電源線３１を介して電源端子台３０の第２電源端子３０ｂ１、３０ｂ２に接続されている。電源線３１のうち電源線３１１が第２電源端子３０ｂ１、３０ｂ２の第１極端子３０ｂ１と接続し、電源線３１のうち電源線３１２が第２電源端子３０ｂ１、３０ｂ２の第２極端子３０ｂ２と接続している。照明器具７２は、電源線３３を介して調光器１０に接続されている。照明器具７２内部の点灯装置（図示せず）は、電源線３３１を介して電源スイッチ装置３２の第２接続端子３２ｂ１に接続されている。電源線３３のうち電源線３３２は、電源端子台３０が有する第１電源端子３０ａ１、３０ａ２のうちの「第２極端子３０ａ２」と、照明器具７２とを接続している。調光信号線４１は、照明器具７２と信号線端子台４０とを接続している。
【００８５】
図２７は、本発明の実施の形態にかかる調光器１０を照明器具７２に接続する他の方法を示すブロック図である。図２７は、図２４に示す照明システム７０を構築するときの接続方法の他の例である。電源スイッチ装置３２のスイッチ部ＳＷとして両切りスイッチＳＷ２を用いている。
【００８６】
第１接続端子３２ａ１、３２ａ２を互いに区別するために、便宜上、「第１の端子３２ａ１」と「第２の端子３２ａ２」と読み替える。「第１の端子３２ａ１」と「第２の端子３２ａ２は、スイッチ部ＳＷの開により第２接続端子３２ｂ１、３２ｂ２から遮断される。電源スイッチ装置３２における積層回路基板５０と隣り合う側に、第１の端子３２ａ１が設けられている。電源スイッチ装置３２における積層回路基板５０とは反対の側に、第２の端子３２ａ２が設けられている。調光器１０は、電源端子台３０と電源スイッチ装置３２とを接続させる配線ケーブル３４および配線ケーブル３６を備えている。配線ケーブル３４は、第１電源端子３０ａ１、３０ａ２のうちの「第１極端子３０ａ１」と第１の端子３２ａ１とを繋ぐ。配線ケーブル３６は、配線ケーブル３４よりも長く、第１電源端子３０ａ１、３０ａ２のうちの「第２極端子３０ａ２」と、第２の端子３２ａ２とを繋ぐ。
【００８７】
図２６の場合と同様に、交流電源７８は、電源線３１を介して電源端子台３０の第２電源端子３０ｂ１、３０ｂ２に接続されている。照明器具７２は、電源線３３を介して調光器１０に接続されているが、図２６とは異なる接続となっている。つまり、電源線３３のうち電源線３３２は、電源スイッチ装置３２の第２接続端子３２ｂ２に接続している。
【００８８】
図２８は、本発明の実施の形態にかかる調光器１０の配線ケーブル形状を示す図である。配線ケーブル３４上に配線ケーブル３６が重ねられていてもよい。配線ケーブル３６は、曲げ固定ができる程度の柔軟性および形状保持性を備えることが好ましい。これにより配線ケーブル３６で配線ケーブル３４を押さえつけることができる。
【００８９】
図２９は、本発明の実施の形態にかかる調光器１０を照明器具７２に接続する他の方法を示すブロック図である。図２９は、図２５に示す照明システム７１を構築するときの接続方法の一例である。図２９に示す接続方法では、図２６および図２７の接続方法とは異なり、調光信号線４１により信号端子台４０と照明コントローラ７６が接続されている。
【００９０】
照明器具７２は、ＬＥＤ光源（図示せず）およびＬＥＤ光源を点灯させる点灯装置７３（図示せず）を備える。照明コントローラ７６は、調光器１０からの調光信号に応じて照明器具７２の明るさを制御する。照明コントローラ７６は、一例として、照度センサ７６ａを備えている。電源スイッチ装置３２は、第１接続端子３２ａ１、３２ａ２と、電源端子台３０に接続する第２接続端子３２ｂ１、３２ｂ２と、第１接続端子３２ａ１、３２ａ２と第２接続端子３２ｂ１、３２ｂ２との間に介在するスイッチ部ＳＷ２とを備える。
【００９１】
図２９の接続方法における、電源端子台３０、電源スイッチ装置３２、交流電源７８、および照明器具７２の相互の接続関係について説明する。まず、図２９の接続方法では、電源端子台３０の第２電源端子３０ｂ１、３０ｂ２が、電源線３３を介して照明器具７２に接続されている。これは、図２７の接続方法では第２電源端子３０ｂ１、３０ｂ２と交流電源７８とが接続されていたのとは異なっており、図２７と図２９との間の第１の相違点である。また、図２９の接続方法では、電源スイッチ装置３２の第２接続端子３２ｂ１、３２ｂ２が、交流電源７８と接続されている。これは、図２７の接続方法では第２接続端子３２ｂ１、３２ｂ２が照明器具７２に接続されていたのとは異なっており、図２７と図２９との間の第２の相違点である。一方、電源スイッチ装置３２の第１接続端子３２ａ１、３２ａ２は、図２９に示す接続方法においても図２７に示す接続方法と同様に、配線ケーブル３４、３６を介して電源端子台３０の第１電源端子３０ａ１、３０ａ２と接続している。なお、図２７と図２９との間の第３の相違点としては、調光信号線４１により調光器１０の信号端子台４０と照明コントローラ７６とが接続されていることである。
【００９２】
図２９の接続方法では、電源スイッチ装置３２のスイッチ部ＳＷ２が、交流電源７８と電源端子台３０との間に介在する。スイッチ部ＳＷ２をオンするつまり閉じることにより、第１電源端子３０ａ１，３０ａ２、配線ケーブル３４，３６、第１接続端子３２ａ１、３２ａ２、および第２接続端子３２ｂ１、３２ｂ２が接続されるので、交流電源７８が電源端子台３０へと電源供給することが可能な状態が作り出される。一方、スイッチ部ＳＷ２をオフつまり開くことにより、第１接続端子３２ａ１、３２ａ２と第２接続端子３２ｂ１、３２ｂ２とを遮断できるので、第２接続端子３２ｂ１、３２ｂ２と接続された交流電源７８から電源端子台３０側の電気回路を電気的に分離することができる。
【００９３】
図２６および図２７に示すような調光器１０と照明器具７２とを含む照明システム７０を構築するときに、照明器具７２の点灯装置７３（図２５参照）がオフされた後においても、調光器１０と交流電源との接続を維持して調光器１０自体への電源供給を続けて、調光器１０に調光信号を出させ続けるというシステム構成も採用しうる。その一方で、図２９に示すような調光器１０と照明器具７２にさらに照明コントローラ７６を加えた照明システム７１において、調光器１０から調光信号を照明コントローラ７６に入力する形態が考えられる。この照明コントローラ７６付きの照明システム７１で点灯装置７３のオフ時に調光器１０が調光信号を出し続けることを避けたい場合に、仮に調光信号遮断用の別のスイッチ部品を設けるとすると部品数が増加してしまう。この点、図２９に示す接続方法によれば、電源スイッチ装置３２のスイッチ部ＳＷ２をオフとすれば、照明器具７２の点灯装置７３と調光器１０との両方に対する交流電源７８からの電源供給が遮断される。従って、図２９に示す接続方法によれば、別のスイッチ部品を追加しなくとも、調光器１０からの調光信号の出力を停止することができる。
【００９４】
また、実施の形態にかかる調光器１０は、電源線３３を繋ぎ替えることで図２６〜図２９の接続にそれぞれ対応できるようになっている。
【００９５】
実施の形態では、一例として、照度センサ７６ａを設けている。照明コントローラ７６は、人感センサを備えていてもよく、人感センサと照度センサの両方を備えていてもよい。照明コントローラ７６は、これら２つのセンサのうち少なくとも一方のセンサの出力に基づいて照明器具７２の明るさを制御する。また、照明コントローラ７６は、ワイヤレスリモコン（図示せず）からの通信信号に応じて照明器具７２の明るさを制御するものであってもよい。照明コントローラ７６は、設定されたスケジュール情報に基づいて照明器具７２の明るさを制御するものであってもよい。照明コントローラ７６は、調光信号が入力されなくなった場合に、人感センサ、照度センサ、ワイヤレスリモコン、およびスケジュール情報に従って照明器具７２の明るさを制御するモードへと自動的に切り替わるようになっていてもよい。照明コントローラ７６と照明器具７２の間の通信は、無線モジュールを用いた無線通信であってもよく、通信線を介した有線通信のいずれでもよい。調光器１０と照明コントローラ７６との間の通信は、無線モジュールを用いた無線通信であってもよく、通信線を介した有線通信のいずれでもよい。
【００９６】
図３０は、本発明の実施の形態にかかる調光器１０が備える調光特性の一つである調光カーブを示す図である。調光率とオンデューティの関係は、テーブルにより実現する。マイコン６０は、下記の「表１」に定義されたテーブルを予め内蔵ＲＯＭ（フラッシュメモリ）に記憶している。
【００９７】
【表１】
0006672737.tif 000002
【００９８】
１０個の操作位置（ポジション０〜９）それぞれに、異なる仕様が割り当てられている。各仕様は、周波数、下限調光率、最大オンデューティ、最小オンデューティ、消灯信号の有無、および調光特性を含んでいる。例えば、ポジション０では、マイコン６０上の設定が「標準消灯有り」の調光仕様とされており、周波数１ＫＨｚ、下限調光率０％、最大オンデューティ５％、最小オンデューティ９０．５％、消灯信号の有りでオンデューティ１００％が消灯信号、および調光特性が直線という仕様で調光器１０が作動する。ここからポジション６へと調光仕様切替スイッチ５４を回転させると、マイコン６０上の設定が「Ａカーブ」の調光仕様へと切り替わり、周波数〜消灯信号の有無については変わらないものの、調光特性がＪＡＴＥＴ規格のＡカーブに変更される。
【００９９】
マイコン６０は、調光仕様切替スイッチ５４の操作位置に従って調光特性を直線とＡカーブとで切り替える調光特性切替機能と、調光仕様切替スイッチ５４の操作位置に従って調光信号の周波数を切り替える周波数切替機能と、調光仕様切替スイッチ５４の操作位置に従って下限調光率を切り替える下限調光率切替機能のうち少なくとも１つを含むことが好ましい。好ましくは、これらの機能の２つ以上を含むことが好ましい。これにより多様なニーズに応えることができる。
【０１００】
調光器１０は、操作信号が入力されるマイコン６０を含む調光制御回路を備える。マイコン６０は、複数の調光仕様設定値を記憶している。調光仕様切替スイッチ５４の各位置に、複数の調光仕様設定値が割り当てられている。調光仕様設定値は、調光特性、ＰＷＭ周波数および下限調光率からなる群から選択された情報を２つ以上組み合わされたものである。前述したように、調光仕様切替スイッチ５４は、予め定められた複数の回転角ごとに異なる位置信号を出力するロータリースイッチである。複数の調光仕様設定値は、組み合わせられた情報のうち少なくとも１つについて互いに値が異なる。調光仕様設定値は、調光仕様切替スイッチ５４の操作位置に従って直線とＡカーブとが切り替わるように複数個定められていても良い。調光仕様設定値は、調光仕様切替スイッチ５４の操作位置に従って調光信号の周波数が切り替わるように複数個定められていても良い。調光仕様設定値は、調光仕様切替スイッチ５４の操作位置に従って下限調光率が切り替わるように複数個定められていても良い。調光仕様切替スイッチ５４は化粧パネルで覆われており、調光仕様切替スイッチ５４をユーザが不用意に操作することを防止できる。
【０１０１】
図３１は、本発明の実施の形態にかかる調光器１０の変形例の外観を示す正面図である。特開２０１３−１４５７０４号公報にかかる図２（ａ）に例示されるように、ロータリーノブ１３の回転角度を予め定めた位置まで回すと、スイッチオフとなるように設計されてもよい。この場合、スイッチ操作部３２ｓを省略することができる。スイッチ操作部３２ｓが省略されたとしても、上記実施の形態で説明した調光器１０が備える各種構造の利点は失われない。
【０１０２】
なお、第１の発明における調光器１０では、切欠凹部１２０〜１６０ｂによる上記技術的効果を得る観点から「取付板１００」を金属製としている。しかし第２の発明における「取付板１００」は必ずしも金属製に限らない。
【符号の説明】
【０１０３】
Ａｓｙ  組立体、ＳＷ  スイッチ部、ＳＷ１  ３路スイッチ、ＳＷ２  両切りスイッチ、１０  調光器、１１  化粧パネル、１１ａ、１１ｂ  プレート枠、１２  操作プレート、１３  ロータリーノブ、２０  ケースカバー、２０ａ  ケース開口、２１  上板部、２１ａ  上板突起、２２、２３  側板部、２２ａ  下板突起、２４  底板部、２５  下板部、３０  電源端子台、３０ａ１〜３０ｂ２  電源端子、３１、３１１、３１２、３３、３３１、３３２  電源線、３２  電源スイッチ装置、３２ａ１〜３２ｂ２  接続端子、３２ｓ  スイッチ操作部、３４、３６  配線ケーブル、４０  信号線端子台、４１  調光信号線、４２  接地ネジ、５０  積層回路基板、５０ａ  制御回路基板、５０ｂ  電源回路基板、５０ｃ  スペーサ、５２  ボリューム操作軸、５２  ボリューム操作軸、５４  調光仕様切替スイッチ、６０  マイコン、６１  増幅回路、６２  短絡検出回路、６３  表示回路、６４  調光ボリューム部、６７  電源回路、７０、７１  照明システム、７２  照明器具、７６  照明コントローラ、７６ａ  照度センサ、７８  交流電源、１００  取付板、１０２  調光ボリューム用開口、１０４  切替スイッチ用開口、１０６  電源スイッチ用開口、１１２  切欠部、１１３  固定孔、１２０、１３０、１４０、１５０ａ、１５０ｂ、１６０ａ、１６０ｂ  切欠凹部、１２１  底辺部、１２１ａ  段差、１２１ｂ  出張部、１２２  側周部、１２２ａ  引掛凸部、２００、２１０，２２０、２３０  ツメ部、２００ａ  ツメ部（折り曲げ前）、２０２  貫通孔、２１１  細ツメ部、２２１，２３１  先端、２２２、２３３根元、２３２  狭幅部
【図１】
0006672737.tif 000003
【図２】
0006672737.tif 000004
【図３】
0006672737.tif 000005
【図４】
0006672737.tif 000006
【図５】
0006672737.tif 000007
【図６】
0006672737.tif 000008
【図７】
0006672737.tif 000009
【図８】
0006672737.tif 000010
【図９】
0006672737.tif 000011
【図１０】
0006672737.tif 000012
【図１１】
0006672737.tif 000013
【図１２】
0006672737.tif 000014
【図１３】
0006672737.tif 000015
【図１４】
0006672737.tif 000016
【図１５】
0006672737.tif 000017
【図１６】
0006672737.tif 000018
【図１７】
0006672737.tif 000019
【図１８】
0006672737.tif 000020
【図１９】
0006672737.tif 000021
【図２０】
0006672737.tif 000022
【図２１】
0006672737.tif 000023
【図２２】
0006672737.tif 000024
【図２３】
0006672737.tif 000025
【図２４】
0006672737.tif 000026
【図２５】
0006672737.tif 000027
【図２６】
0006672737.tif 000028
【図２７】
0006672737.tif 000029
【図２８】
0006672737.tif 000030
【図２９】
0006672737.tif 000031
【図３０】
0006672737.tif 000032
【図３１】
0006672737.tif 000033